(57)【特許請求の範囲】
【請求項１】
筐体と、
前記筐体に配置され、被写体を撮像する第１撮像部及び第２撮像部と、
前記第１撮像部及び前記第２撮像部の双方に同一の被写体を同時に撮像させ、前記第１撮像部により撮像された第１画像から前記被写体に関する第１情報を抽出すると共に、前記第２撮像部により撮像された第２画像から前記被写体に関する第２情報を抽出し、前記第１情報及び前記第２情報に基づいて前記第１画像及び前記第２画像を用いた所定の処理を行う制御部と、を備え、
前記制御部は、前記第１情報として前記被写体の形状に関する情報を抽出すると共に前記第２情報として前記被写体の色に関する情報を抽出し、前記所定の処理として、前記被写体の形状に関する情報及び前記被写体の色に関する情報に基づいて第３画像を作成する
電子機器。
【請求項２】
前記第１撮像部の露出時間は、前記第２撮像部の露出時間よりも短い
請求項１に記載の電子機器。
【請求項３】
前記筐体に配置されて、前記筐体外部の光量を検出する第１光量検出部をさらに備え、
前記制御部は、前記第１光量検出部により検出された光量が多いほど、前記第１撮像部及び前記第２撮像部の少なくとも一方の前記露出時間を短くする
請求項２に記載の電子機器。
【請求項４】
前記筐体に配置されて、前記筐体外部の光量を検出する第２光量検出部と、
前記第２光量検出部によって検出された光量に応じて、前記第２画像のホワイトバランスを調整する画像調整部と、をさらに備える
請求項１から３のいずれか一項に記載の電子機器。
【請求項５】
前記筐体に配置され、前記第３画像を表示する表示部をさらに備える
請求項１に記載の電子機器。
【発明の詳細な説明】
【技術分野】
【０００１】
本発明は、被写体を撮像する撮像部を備えた電子機器に関する。
【背景技術】
【０００２】
電子機器には、撮像部を１つ備えるものがある。このような電子機器では、相対的に露出時間の長い長時間撮像動作と、相対的に露出時間の短い短時間撮像動作とを１つの撮像部で連続して行い、長時間撮像動作によって得られた画像から得られる被写体の色に関する情報と、短時間撮像動作によって得られた画像から得られる被写体の形状に関する情報とに基づいて手振れの影響が低減された１枚の画像を作成するものがある（特許文献１参照）。
【先行技術文献】
【特許文献】
【０００３】
【特許文献１】米国特許出願公開第２００６／００１７８３７号明細書
【発明の概要】
【発明が解決しようとする課題】
【０００４】
しかしながら、上述した電子機器では、１つの撮像部によって長時間撮像動作と短時間撮像動作とを連続して行うため、長時間撮像動作と短時間撮像動作との間に時間差が発生する。このため、電子機器は、長時間撮像動作により得られた画像に記録される被写体と、短時間撮像動作により得られた画像に記録される被写体との間にずれが発生する場合がある。
このように、一の撮像部によって所定の時間間隔で同一の被写体を撮像することで得られる第１画像及び第２画像からそれぞれ抽出される第１情報及び第２情報に基づく処理を行うと、利便性が損なわれる場合があった。
【０００５】
本発明は、利便性を向上させた電子機器を提供することを目的とする。
【課題を解決するための手段】
【０００６】
本発明の電子機器は、筐体と、前記筐体に配置され、被写体を撮像する第１撮像部及び第２撮像部と、前記第１撮像部及び前記第２撮像部の双方に同一の被写体を同時に撮像させ、前記第１撮像部により撮像された第１画像から前記被写体に関する第１情報を抽出すると共に、前記第２撮像部により撮像された第２画像から前記被写体に関する第２情報を抽出し、前記第１情報及び前記第２情報に基づいて前記第１画像及び前記第２画像を用いた所定の処理を行う制御部と、を備えることを特徴とする。
【０００７】
また、前記制御部は、前記第１撮像部及び前記第２撮像部の双方における前記被写体の形状及び色に対する感度が同じに設定されているとき、前記第１情報として前記被写体の形状に関する情報を抽出すると共に前記第２情報として前記被写体の色に関する情報を抽出し、前記所定の処理として、前記被写体の形状に関する情報及び前記被写体の色に関する情報に基づいて第３画像を作成することが好ましい。
【０００８】
また、前記第１撮像部の露出時間は、前記第２撮像部の露出時間よりも長いことが好ましい。
【０００９】
また、電子機器は、前記筐体に配置されて、前記筐体外部の光量を検出する第１光量検出部をさらに備え、前記制御部は、前記第１光量検出部により検出された光量が多いほど、前記第１撮像部及び前記第２撮像部の少なくとも一方の前記露出時間を短くすることが好ましい。
【００１０】
また、電子機器は、前記筐体に配置されて、前記筐体外部の光量を検出する第２光量検出部と、前記第２光量検出部によって検出された光量に応じて、前記第２画像のホワイトバランスを調整する画像調整部と、をさらに備えることが好ましい。
【００１１】
また、電子機器は、前記筐体に配置され、前記第３画像を表示する表示部をさらに備えることが好ましい。
【発明の効果】
【００１２】
本発明によれば、利便性を向上させた電子機器を提供することができる。
【図面の簡単な説明】
【００１３】
【図１】本発明の電子機器の一実施形態に係る携帯電話機の外観斜視図である。
【図２】携帯電話機の機能を示す機能ブロック図である。
【図３】第１撮像部及び第２撮像部における撮像のタイミングについて説明するための図である。
【図４】第１撮像部及び第２撮像部それぞれによって得られる画像と、それぞれの画像を合成することによって得られた画像とを説明するための図である。
【発明を実施するための形態】
【００１４】
以下、本発明の一実施形態について説明する。図１は、本発明の電子機器の一実施形態に係る携帯電話機１の外観斜視図である。なお、図１は、いわゆるストレートタイプの携帯電話機の形態を示しているが、本発明に係る携帯電話機の形態としては特にこれに限られない。例えば、携帯電話機は、２つの筐体をヒンジによって結合した折り畳み式や、２つの筐体を重ね合わせた状態から一方の筐体を一方向にスライドさせるようにしたスライド式や、重ね合せ方向に沿う軸線を中心に一方の筐体を回転させるようにした回転式（ターンタイプ）でもよい。
【００１５】
携帯電話機１は、筐体２を備える。筐体２の前面１０には、操作部１１と、マイク１２と、表示部２１と、スピーカ２２とが配置される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部２１と一体に形成されたタッチパネルに配置（表示）するようにしてもよい。マイク１２は、携帯電話機１の使用者が通話時に発した音声が入力させる。スピーカ２２は、通話の相手側の音声を出力する。表示部２１は、各種情報を表示する。
【００１６】
図２は、携帯電話機１の機能を示す機能ブロック図である。図３は、第１撮像部４３及び第２撮像部４４における撮像のタイミングについて説明するための図である。図４は、第１撮像部４３及び第２撮像部４４それぞれによって得られる画像と、それぞれの画像を合成することによって得られた画像とを説明するための図である。
【００１７】
携帯電話機１は、図２に示すように、操作部１１と、マイク１２と、スピーカ２２と、表示部２１と、通信部４１と、メモリ４２と、第１撮像部４３と、第２撮像部４４と、第１光量検出部４５と、制御部４６と、第２光量検出部４７と、画像調整部４８とを備える。
【００１８】
通信部４１は、外部装置（図示せず）と通信を行う。
メモリ４２は、例えば、ワーキングメモリを含み、制御部４６による演算処理に利用される。また、メモリ４２には、複数のアプリケーションや当該アプリケーションが必要とする各種のテーブル等が記憶されている。また、メモリ４２は、着脱可能な外部メモリを兼ねていてもよい。
【００１９】
第１撮像部４３は、筐体２の後面３０（前面１０とは反対側の面）に配置され（図１（Ｂ）参照）、被写体を撮像する。
第２撮像部４４は、筐体２の後面３０に配置され、第１撮像部４３によって撮像される被写体と同一の被写体を撮像する。
第１撮像部４３及び第２撮像部４４は、それぞれ第１方向（図１（Ｂ）において紙面に垂直な方向）側を向いて筐体２に配置される。第１撮像部４３と第２撮像部４４は、例えば、同一のカメラモジュールであり、被写体の形状及び色に対する感度が同じである。また、第１撮像部４３及び第２撮像部４４それぞれは、同一の画角を有することが好ましい。
【００２０】
第１光量検出部４５は、筐体２の後面３０に配置され、第１方向の光量を検出する。第１光量検出部４５は、本実施形態のように第１撮像部４３及び第２撮像部４４とは独立して配置されていてもよく、第１撮像部４３及び第２撮像部４４のうちの少なくとも一方に組み込まれていてもよい。
【００２１】
制御部４６は、携帯電話機１の全体を制御しており、中央処理装置（ＣＰＵ）等を用いて構成される。
また、制御部４６は、第１撮像部４３及び前記第２撮像部４４それぞれに対して設定される露出を開始するタイミングを第１撮像部４３及び第２撮像部４４で同期させるよう第１撮像部４３及び第２撮像部４４を制御する。すなわち、制御部４６は、第１撮像部４３によって撮像を開始するタイミング（図３に示す（１））と、第２撮像部４４によって撮像を開始するタイミング（図３に示す（４））とを同じにさせる。さらに換言すると、制御部４６は、第１撮像部４３と第２撮像部４４とで同時に撮像を開始させる。
【００２２】
また、制御部４６は、第１光量検出部４５によって検出された第１方向側の光量に応じて、第１撮像部４３における露出時間（図３に示す（２））を、被写体の形状に関する情報を撮像することが可能な第１画像を得る第１時間に設定するよう第１撮像部４３を制御する。さらに、制御部４６は、第１光量検出部４５によって検出された明るさに応じて、第２撮像部４４における露出時間（図３に示す（５））を、被写体の色に関する情報を撮像することが可能な第２画像を得る第１時間よりも長い第２時間に設定するよう第２撮像部４４を制御する。
【００２３】
第１撮像部４３による撮像が終了するタイミング（図３に示す（３））は、露出時間が終了した時点に一致する。第１時間は、第１光量検出部４５によって検出された明るさが相対的に明るい場合には短くなり、第１光量検出部４５によって検出された明るさが相対的に暗い場合には長くなる。例えば、制御部４６は、第１光量検出部４５によって検出される明るさと第１時間とを対応付けた第１テーブルを備え、第１光量検出部４５によって明るさが検出された場合に、第１テーブルを参照することにより検出された明るさに対応する第１時間を取得し、取得した第１時間を露出時間として第１撮像部４３に設定する。なお、第１時間は、上記の方法により取得されるばかりでなく、他の方法により取得されてもよい。
【００２４】
制御部４６は、第１撮像部４３によって得られる第１画像から、被写体の形状に関する情報を取得する。第１画像は、第２画像に比べて暗い画像となる（図４（Ａ）参照）。また、第１画像は、露出時間が第２時間よりも短い第１時間であるため、記録される被写体の輪郭が鋭いものとなる（ブレがないため、輪郭はシャープである）。
【００２５】
また、第２撮像部４４による撮像が終了するタイミング（図３に示す（６））は、露出時間が終了するタイミングに一致する。第２時間は、第１光量検出部４５によって検出された明るさが相対的に明るい場合には短くなり、第１光量検出部４５によって検出された明るさが相対的に暗い場合には長くなる。例えば、制御部４６は、第１光量検出部４５によって検出される明るさと第２時間とを対応付けた第２テーブルを備え、第１光量検出部４５によって明るさが検出された場合に、第２テーブルを参照することにより検出された明るさに対応する第２時間を取得し、取得した第２時間を露出時間として第２撮像部４４に設定する。なお、第２時間は、上記の方法により取得されるばかりでなく、他の方法により取得されてもよい。
【００２６】
制御部４６は、第２撮像部４４によって得られる第２画像から、被写体の色に関する情報を取得する。第２画像は、第１画像に比べて明るい画像となる（図４（Ｂ）参照）。また、第２画像は、露出時間が第１時間よりも長い第２時間であるため、記録される被写体の輪郭は第１画像に比して鋭くない。
【００２７】
そして、制御部４６は、例えば、次のようにして、第１画像及び第２画像に基づいて第３画像を合成する。すなわち、制御部４６は、第１画像から被写体の特徴点を抽出すると共に、第２画像から被写体の特徴点を抽出する。さらに、制御部４６は、第１画像から被写体の形状（輪郭等）に関する情報を抽出すると共に、第２画像から被写体の色に関する情報を抽出する。そして、制御部４６は、第１画像及び第２画像から抽出したそれぞれの特徴点が一致するようにして、被写体の形状に関する情報と被写体の色に関する情報とを重ねあわせる。制御部４６は、各情報を重ね合わせた（合成した）結果として第３画像を生成する。ここで、第１画像と第２画像とが同じタイミングで撮像されているため、各画像それぞれに記録される被写体のずれ幅が小さくなり、各特徴点を一致させ易い。また、第３画像に記録される被写体の輪郭は、第１画像に基づいているため輪郭が鋭い（ブレがなく、輪郭がシャープである）。第３画像に記録される被写体の色は、第２画像に基づいているため、実際の被写体の色と略等しくなっている。よって、第３画像は、被写体の色が再現され、ブレのない画像になっている（図４（Ｃ）参照）。なお、第１画像及び第２画像に基づいて第３画像を作成する方法は、上述した方法に限定されることはなく、他の方法であってもよい。
【００２８】
第２光量検出部４７は、筐体２における後面３０とは異なる他の面に配置され、明るさを検出する。すなわち、第２光量検出部４７は、被写体が存在する方向とは異なる方向（第２方向）側の明るさを検出する。この場合、第２光量検出部４７は、検出した明るさに基づいて、色温度を検出する。本実施形態の場合、他の面は、筐体２の前面１０であり、第１方向と第２方向とは略反対方向である。
【００２９】
画像調整部４８は、第２光量検出部４７によって検出された第２方向側の光量に応じて、第２撮像部４４によって得られる第２画像のホワイトバランスを調整する。ホワイトバランスは、例えば、「太陽光」、「晴天日陰」、「曇天」、「蛍光灯」、「白熱灯」等の設定がある。そして、画像調整部４８は、第２光量検出部４７によって検出される明るさ（色温度）に基づいて、ホワイトバランスの複数の設定のうちいずれか１つを選択することにより、選択した設定に基づいて第２画像の色合いを調整する。
【００３０】
また、画像調整部４８は、第１光量検出部４５によって検出された明るさ（色温度）と、第２光量検出部４７によって検出された明るさ（色温度）とに基づいて、ホワイトバランスの複数の設定の中からいずれか１つを選択し、選択した設定に基づいて第２画像のホワイトバランスを調整することもできる。例えば、画像調整部４８は、第１光量検出部４５によって検出される明るさと、第２光量検出部４７によって検出される明るさと、選択されるホワイトバランスの設定とを対応付けた第３テーブルを備えておく。そして、画像調整部４８は、第３テーブルを参照することにより、第１光量検出部４５によって検出された明るさと、第２光量検出部４７によって検出された明るさとに対応するホワイトバランスの設定を選択し、選択した設定に基づいて第２画像の色合いを調整する。
【００３１】
具体的な一例として、晴天の屋外において木陰に存する被写体を撮像する場合について説明する。この場合、携帯電話機１に配置された各撮像部４３，４４を被写体に向けると、第１撮像部４３、第２撮像部４４及び第１光量検出部４５は木陰を向き、第２光量検出部４７は日向を向く。そして、第１光量検出部４５によって明るさが暗い状態を検出し、第２光量検出部４７によって明るさが明るい状態を検出するので、画像調整部４８は、第３テーブルを参照することにより、ホワイトバランスの設定として「晴天日陰」を選択し、選択した設定に基づいて第２画像のホワイトバランスを調整する。
【００３２】
以上説明したように、本実施形態の携帯電話機１によれば、以下の効果が奏される。
すなわち、本実施形態の携帯電話機１は、撮像を開始するタイミングを第１撮像部４３及び第２撮像部４４で同期させる。また、携帯電話機１は、第１光量検出部４５によって検出された明るさに応じて、第１撮像部４３における露出時間を、被写体の形状に関する特徴を撮像することが可能な第１画像を得る第１時間に設定する。さらに、携帯電話機１は、第１光量検出部４５によって検出された明るさに応じて、第２撮像部４４における露出時間を、被写体の色を撮像することが可能な第２画像を得る第２時間に設定する。これにより、携帯電話機１は、第１撮像部４３による撮像と第２撮像部４４による撮像との間にタイムラグが生じないので、第１画像と第２画像とのそれぞれの特徴点を抽出しやすくできる。よって、携帯電話機１は、第３画像を合成する場合に、その合成を行いやすくなる。
【００３３】
また、携帯電話機１は、第２光量検出部４７によって検出された明るさに応じて、第２撮像部４４によって得られる第２画像のホワイトバランスを調整する。さらに、携帯電話機１は、第１画像と第２画像とに基づいて、第３画像を生成する。これにより、携帯電話機１は、第３画像に記録される被写体の色合いを実際の被写体の色合いに近づけることができる。
【００３４】
なお、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やポータブルナビゲーションデバイスやディジタルカメラ等の撮像部を搭載可能な電子機器にも適用することができる。
【００３５】
また、上述した実施形態では、制御部が被写体に関する第１情報として形状に関する情報を、第２情報として色に関する情報を抽出するとして説明を行っているが、本発明はこれに限定されない。例えば、制御部が、第１情報として第１画像のコントラスト情報を、第２情報として第２画像の被写体のコントラスト情報を抽出してもよい。制御部は、これらのコントラスト情報に基づき、所定の処理として被写体の輪郭を際立たせる処理を行ってもよい。
【００３６】
また、上述した実施形態では、第１撮像部と第２撮像部とが同一のカメラモジュールであり、被写体の形状及び色に対する感度が同じであるとして説明を行ったが、本発明はこれに限定されず、被写体の形状及び色に対する感度が同じに設定可能なものであれば異なるカメラモジュールであってよい。
【００３７】
また、上述した実施形態では、第１撮像部の露出時間に比して第２撮像部の露出時間が長いとして説明を行っているが、本発明はこれに限定されない。例えば上記のように、被写体の形状及び色に対する感度が異なるカメラモジュールを用いる場合には、各撮像部の露出時間を同一として撮像を行ってもよい。
【符号の説明】
【００３８】
１  携帯電話機（電子機器）
２  筐体
１０  前面
３０  後面
４３  第１撮像部
４４  第２撮像部
４５  第１光量検出部
４６  制御部
４７  第２光量検出部
４８  画像調整部
【図１】
0005794804.tif 000002
【図２】
0005794804.tif 000003
【図３】
0005794804.tif 000004
【図４】
0005794804.tif 000005